(57)【特許請求の範囲】
【請求項１】
携帯記憶媒体と、該携帯記憶媒体を接続する予約登録装置およびカラオケ装置とからなり、
前記予約登録装置は、前記携帯記憶媒体を接続する媒体接続手段と、利用者が選択したカラオケ曲の曲コードを該媒体接続手段に接続されている携帯記憶媒体に、前記曲コードよりも簡略な登録コードとともに書き込むコード書込手段と、コード書込手段によって書き込まれたカラオケ曲の曲名および前記登録コードをリストとしてプリントアウトするプリント手段と、を備え、
前記カラオケ装置は、携帯記憶媒体を接続する媒体接続手段と、コードを入力するコード入力手段と、該コード入力手段から登録コードが入力されたとき、前記媒体接続手段に接続されている携帯記憶媒体を検索して当該登録コードに対応する曲コードを読み出し、この曲コードで識別されるカラオケ曲を演奏予約する予約手段と、を備えたことを特徴とするカラオケ装置の演奏予約装置。
【発明の詳細な説明】
【０００１】
【発明の属する技術分野】
この発明は、カラオケボックスなどのカラオケ店で歌唱する曲を予め登録しておき、カラオケ装置にこれを読み取らせることによって簡略に演奏予約することができるカラオケ装置の演奏予約装置に関する。
【０００２】
【従来の技術】
カラオケボックスやスナックなどのカラオケ装置を設置しているいわゆるカラオケ店において、カラオケ曲のリクエストは、曲を識別する曲番号（曲コード）を赤外線リモコンであるコマンダから入力して行っていた。曲番号は、カラオケ曲の曲名と曲番号とを対応させたリストである目次本から所望のカラオケ曲のものを探し出していた。
【０００３】
【発明が解決しようとする課題】
しかし、現在カラオケ装置で演奏可能なカラオケ曲の曲数は１万曲にのぼっており、所望の曲を目次本から探すのは容易ではない。とくに、カラオケボックスでは、顧客は時間単位で部屋をレンタルしているため、時間を掛けて所望の曲を探すことは面倒であり、不本意ではあるが目次本で目についた曲を適当にリクエストするということが多くあった。
【０００４】
この発明は、カラオケ店に入る前に所望のカラオケ曲を登録しておくことにより、カラオケ店で簡略にこれをリクエストすることができるカラオケ装置の演奏予約装置を提供することを目的とする。
【０００５】
【課題を解決するための手段】
【０００６】
この出願の請求項１の発明は、携帯記憶媒体と、該携帯記憶媒体を接続する予約登録装置およびカラオケ装置とからなり、
前記予約登録装置は、前記携帯記憶媒体を接続する媒体接続手段と、利用者が選択したカラオケ曲の曲コードを該媒体接続手段に接続されている携帯記憶媒体に、前記曲コードよりも簡略な登録コードとともに書き込むコード書込手段と、コード書込手段によって書き込まれたカラオケ曲の曲名および前記登録コードをリストとしてプリントアウトするプリント手段と、を備え、
前記カラオケ装置は、携帯記憶媒体を接続する媒体接続手段と、コードを入力するコード入力手段と、該コード入力手段から登録コードが入力されたとき、前記媒体接続手段に接続されている携帯記憶媒体を検索して当該登録コードに対応する曲コードを読み出し、この曲コードで識別されるカラオケ曲を演奏予約する予約手段と、を備えたことを特徴とする。
【０００８】
請求項１において、携帯記憶媒体としては、たとえばＰＣカードなどのカード媒体を適用すればよい。予約登録装置はカラオケ店のロビーまたは店舗外に設置され、そのときカラオケ店を利用しない者でも自由に操作できるようにしておくことが好ましい。利用者は携帯記憶媒体を予約登録装置にセットしてカラオケ曲を登録する。携帯記憶媒体には少なくともカラオケ曲の曲コードとこの曲コードよりも簡略な登録コードが対応して記憶される。たとえば、携帯記憶媒体に１００曲のカラオケ曲を登録することができるとすれば、０〜９９の番号を登録コードとして使用することにより、一般の曲コード（６桁〜７桁の数字・文字列）よりもはるかに簡略になる。利用者は所望のカラオケ曲を携帯記憶媒体に登録する。登録ののち、予約登録装置は、登録されたカラオケ曲の曲名と登録コードとをリストとしてプリントアウトする。利用者はこのプリントアウトされた用紙を自分だけの目次本として使用することができる。
【０００９】
すなわち、この利用者がカラオケ店に赴いたとき、カラオケ装置に前記携帯記憶媒体をセットして登録コードを入力すれば、その登録コードで識別されるカラオケ曲を演奏予約することができる。これにより、自分の好きな曲のみをリストアップした目次本を用いてカラオケ曲を選択し、通常の曲コードよりも簡略な登録コードを入力することで演奏予約することができ、カラオケ曲の選択およびコード入力をともに簡略化することができる。
【００１０】
【発明の実施の形態】
図面を参照してこの発明の実施形態であるカラオケ装置のリクエスト曲事前登録システムについて説明する。図１は該リクエスト曲事前登録システムが設置されたカラオケ店（カラオケボックス）の概略構成を示す図である。店舗内のローカルホスト２に各ボックスに設置されているカラオケ装置３と該カラオケ店のロビーや店外に設置される予約登録装置１が接続されている。カラオケ店の顧客はボックス内でカラオケ装置３に対して曲番号（曲コード）を入力して演奏予約をするが、コマンダ６から直接曲番号を入力するのみならず、予約登録装置１を操作して事前に登録番号とともに曲番号を登録しておき、ボックス内で簡略な操作でその登録番号を入力することで曲番号を読み出して演奏予約することができる。事前に入力された曲番号はローカルホスト２または顧客が所持するＰＣカード（レパートリーカード）５に記憶される。
【００１１】
予約登録装置１は図２，図３に示すような構成をしており、ローカルホスト２からダウンロードした曲名リストをモニタ４０に表示する。モニタ４０の表面にはタッチパネル５８が設けられている。利用者は、モニタ４０に表示されている曲名を指で押さえると、タッチパネル５８によってその押下位置が検出され、その曲を選択することができる。利用者は、所望の曲を何曲でも選択することができ、選択した曲をリストとしてローカルホスト２またはレパートリーカード５に登録することができる。
【００１２】
選択した曲をローカルホスト２に登録すると登録番号が発行される。利用者はカラオケボックス内でこの登録番号をコマンダ６から入力すると、登録された曲の曲番号がローカルホスト２からカラオケ装置３に対してダウンロードされ、利用者の簡略な操作に応じてこれらの曲が演奏予約される。
【００１３】
また、選択した曲がレパートリーカード５に記憶されている場合、利用者はカラオケボックス内でＰＣカードリーダ４にこのレパートリーカード５をセットする。そうすると、レパートリーカード５に登録されている曲に割り当てられている簡略な曲番号であるレパートリー番号でこのレパートリーカード５に登録されている曲を予約することができるようになる。すなわち、自分の所望の曲のみをピックアップしたリストのなかから、そのとき歌いたい曲を手早く選択することができる。このレパートリー番号がこの発明の登録コードに対応する。
【００１４】
図２は予約登録装置１の外観図、図３は同予約登録装置１のブロック図である。予約登録装置１の正面には、前記レパートリーカード５をセットするスロット４２のほかモニタ４０，スピーカ４１が設けられている。また、モニタ４０の表面にはタッチパネル５８が設けられており、モニタ４０に表示されるボタンに対する操作を検出する。また、装置前面には利用者が登録した曲名などをプリントするプリンタ４３の排紙口が設けられている。
【００１５】
図３において、ＰＣカードスロット４２内部にはコネクタ５６が設けられており、このコネクタ５６はＰＣカードインタフェース５５を介して制御部５０に接続されている。制御部５０にはこのほか、通信制御部５１，表示制御部５２，音源部５３，タッチパネルインタフェース５７およびプリンタインタフェース５９が接続されている。通信制御部５１は店舗内回線を介してローカルホスト２と通信するための制御部である。この予約登録装置１はローカルホスト２から曲目のリストやカラオケ曲の一部（イントロ部）を受信するとともに、顧客がカラオケ曲の曲番号を予約登録したとき、その予約登録リストを登録番号とともにアップロードする。表示制御部５２はモニタ４０に表示する画像を形成しその表示を制御する。モニタ４０には後述するように単なる曲目等の表示のみならず、利用者が操作するスイッチボタンも表示される。そのスイッチボタンの操作はモニタ４０の表面に設けられているタッチパネル５８によって検出される。タッチパネル５８は、微小間隔で対向する２枚の透明導．体パネルで構成されており、利用者が押下した位置を前記２枚の透明導電体パネルの接触・導通による抵抗値を検出することによって判定可能なものである。タッチパネルインタフェース５７は、前記抵抗値をディジタル値に変換して制御部５０に入力する。制御部５０はこの抵抗値にディジタル値から押下位置を割り出し、この位置データに基づいてどのスイッチボタンが操作されたかを判定し、そのスイッチボタンに対応する動作を実行する。
【００１６】
音源部５３は、ローカルホスト２からダウンロードされてきたイントロ部の演奏データを演奏する。イントロ部の演奏データは、試聴ボタンが押下されたときダウンロードされ音源部５３で演奏される。試聴ボタンは、利用者が登録しようとする曲を選択したのち、その曲を登録するか否かを決定するために試聴するとき押下される。演奏によって形成された楽音信号はアンプ５４で増幅されスピーカ４１から出力される。
【００１７】
ＰＣカードであるレパートリーカード５は、図４に示すようにカード本体内部にバッテリバックアップされたＳＲＡＭ４７を備えており、インタフェース４６を介してコネクタ４５に接続されている。ＳＲＡＭ４７の容量は数キロバイト乃至数メガバイトのものがあるが、この実施形態のように１００曲程度の曲番号と曲名のみを記憶するのであれば数キロバイトのもので十分である。
【００１８】
図５，図６のフローチャートおよび図９〜図１４のモニタ表示例・プリントアウト例を参照してこの予約登録装置１の動作を説明する。この予約登録装置１は利用者が操作しないときには図９のような初期画面をモニタ４０に表示している。利用者がこの表示に応じてスタートボタンを押下するとｓ２の判断でｓ３以下の動作に進む。また、この表示に応じて利用者がレパートリーカード５をＰＣカードスロット１２に挿入するとｓ５の判断でｓ６０（図６）以下の動作に進む。
【００１９】
ｓ３では予約登録する曲を選択するための曲名リストを表示する。ここでは、図１０（Ａ）に示すように曲名を５０音順に配列したリストの第１ページを表示する。画面の最上部に曲名リストの配列形式とページ数が「曲名順「あ」の１ページ目」が表示され、現在の予約登録されている曲数「現在０曲予約」が表示される。そして、同図に示すようにこの画面には、曲名の５０音順以外の曲名リストの配列形式を選択する配列形式選択ボタンとして歌手別ボタン、ジャンル別ボタン、歌いだし歌詞順ボタンが設けられている。また、曲名リストのページを前後させるブラウズボタンとして「先頭のページへ」ボタン、「前のページへ」ボタン、「次のページへ」ボタン、「指定ページにジャンプ」ボタンが設けられている。さらに、画面右下部には予約登録動作を終了するための終了ボタンが設けられている。利用者が、この表示に対応して何らかの操作を行うと（ｓ４）、この操作に対応する処理に進む。
【００２０】
曲指定操作、すなわち、表示されている曲名リストのうち１つの曲名が利用者によって押下されたとき、タッチパネル５８の導通によってこれを検出してこれを選択曲としてバッファに取り込む（ｓ１１）。そして図１０（Ａ）の表示画面の下端部に同図（Ｂ）に示す表示欄を付加してその曲名を表示する（ｓ１２）。この表示欄には確認ボタンと試聴ボタンが含まれている。確認ボタンは選択した曲を予約登録する曲として確認するボタンである。試聴ボタンは選択した曲のイントロ部を試聴してどのような曲かを確認するときに操作されるボタンである。この表示ののち、試聴ボタンまたは確認ボタンの押下操作の有無を検出する（ｓ１３，ｓ１７）。試聴ボタンが押下された場合には（ｓ１３）、ローカルホスト２に対してこの曲のイントロ部の演奏データを要求する（ｓ１４）。これに応じでローカルホスト２はイントロ部の演奏データをダウンロードしてくるため（ｓ１５）、これを音源部２３に供給してイントロを演奏する（ｓ１６）。また、確認ボタンが押下された場合には（ｓ１７）、その曲の曲番号を予約リストに記憶するとともに（ｓ１８）、予約曲数をカウントアップする（ｓ１９）。予約曲数は図１０（Ａ）に示すようにモニタ４０に表示される。
【００２１】
ブラウズ操作（ここでは、「先頭のページへ」ボタン、「前のページへ」ボタン、「次のページへ」ボタンの押下操作）が行われた場合には（ｓ２０）、この操作に対応して、現在表示している曲名リストの対応ページを表示する（ｓ２１）。また、ページジャンプ操作、すなわち、「指定ページにジャンプ」ボタンの操作が行われた場合には（ｓ３０）、ジャンプ先を指定するための画面を表示する（ｓ３１）。利用者がこの表示に従ってジャンプ先を指定すると（ｓ３２）、指定されたページにジャンプしてそのページを表示する（ｓ３３）。
【００２２】
ジャンプ先指定画面は、例えば図１１に示す形式で表示される。図１１では、曲名や歌手名の頭文字を入力するための５０音ボタンと、直接ページ数を入力するためのテンキーボタンとが一緒に表示されている。テンキーボタンでページ数を入力して確認ボタンをオンすると、直接そのページにジャンプする。５０音を１文字入力して確認ボタンを押下した場合、曲名５０音順の配列形式の場合にはその頭文字の曲名の先頭ページにジャンプするが、歌手別の配列形式の場合には、選択された頭文字の歌手名の一覧を表示し、利用者がこのなかから所望の歌手名を選択するようにすればよい。このようにすることにより、速やかに所望の歌手の曲名リストの先頭ページにジャンプすることができる。
【００２３】
配列変更操作、すなわち、配列形式選択ボタン（「曲名順」ボタン、「歌手別」ボタン、「ジャンル別」ボタン、「歌いだし歌詞」ボタン）が操作されたときには、その変更指定された配列形式のリスト表示する（ｓ４１）。なお、各配列形式の曲名リストは予め用意されているものとする。配列形式が変更されたとき無条件に先頭ページを表示するようにしてもよいが、そのときｓ１０である曲が選択されていた場合には、その曲が属するページを表示するようにしてもよい。
【００２４】
一方、終了操作、すなわち、終了ボタンの押下が行われると（ｓ５０）、予約登録された曲が１曲以上あるかを判断し（ｓ５１）、予約登録された曲が１曲もなかった場合にはそのまま終了する。予約登録された曲がある場合には、登録番号を生成し（ｓ５２）、この登録番号と予約登録された曲名リストをプリントアウトする（ｓ５４）。そして、予約登録された曲名リストを登録番号とともにローカルホスト２にアップロードして（ｓ５５）、初期画面の待機動作にもどる。
【００２５】
なお、予約登録された曲名リストには、図１２に示すように、通常の曲番号以外にこの予約登録のみに有効な簡略な（３桁の）曲番号が付されている。予約登録をした利用者は、カラオケボックス内でコマンダ６から登録番号を入力して予約登録の曲名リストをダウンロードし、前記簡略な曲番号を入力することで、所望の曲のみが選択されたリストから曲を探して、短い曲番号で演奏の予約をすることができる。
【００２６】
一方、初期画面状態（ｓ１）からレパートリーカード５がＰＣカードスロット４２にセットされた場合はｓ５の判断でｓ６０に進む（図６）。ｓ６０ではレパートリーカード５の記憶内容を読み込み、登録されている曲のリストをモニタに表示する（ｓ６１）。この画面には追加登録ボタン，曲指定ボタンおよび終了ボタンが含まれる。
【００２７】
追加登録ボタンが押下されると、追加登録動作を実行する。追加登録動作は、オンラインの予約登録動作（ｓ１０〜ｓ４１）とほぼ同様であるため、ここでは簡略化して記載する。すなわち、登録のための曲名リストや登録ボタンを含む登録画面をモニタ１０に表示し（ｓ６３）、これに応じて登録操作が行われると（ｓ６４）、選択された曲名をレパートリーカード５の記憶エリアに書き込む（ｓ６５）。こののち、この新たに書き込まれた曲名を含む曲名リストをモニタ１０に表示する（ｓ６１）。
【００２８】
一方、削除ボタンが押下されると、削除動作を実行する。まず、レパートリーカード５に記憶されている曲名リストの表示画面で削除する曲の選択を受け付ける（ｓ７０）。この選択は、削除したい曲名が表示されている場所を指で押下することによって行うことができる。次に、選択された曲を削除することを確認する確認ボタンがオンされたことを条件としてその曲の曲番号をレパートリーカード５から削除する（ｓ７２）。
【００２９】
また、終了ボタンが操作されると、そのときレパートリーカード５に記憶されている曲のリストをプリントアウトしたのち（ｓ７３）、カードの取り出しを指示する表示をモニタ４０に行う（ｓ７４）。ここで、プリントアウトされるリストは、図１４に示すように曲数の少ない目次本のような形式になっており、それぞれに通常の曲番号よりも短い簡略な曲番号が付されている。
【００３０】
利用者は、このレパートリーカード５をカラオケボックスのカラオケ装置３に接続されているＰＣカードリーダ４にセットし、上記プリントアウトを見ながら、短い曲番号を入力してカラオケ曲をリクエストする。これにより、自己の所望の曲のみがリストアップされた目次本で即座に歌いたい曲を探し出し、且つ、短い曲番号を入力して選曲することができるため、選曲を極めて容易に行うことができる。
【００３１】
また、このレパートリーカード５は全ての顧客が所持するものではなく、店舗がいわゆる常連顧客に与えるものであるため、自分用のレパートリーを選択して自分用の目次本を持つことができる点で常連顧客に対するサービスの向上につながる。
【００３２】
図７は前記カラオケ装置３のブロック図である。装置全体の動作を制御するＣＰＵ１０には、バスを介してＲＯＭ１１，ＲＡＭ１２，ハードディスク記憶装置（ＨＤＤ）１７，通信制御部１６，リモコン受信機１３，表示パネル１４，パネルスイッチ１５，外部インタフェース１８，音源装置１９，音声データ処理部２０，効果用ＤＳＰ２１，文字表示部２５，前記ＬＤチェンジャ２６および表示制御部２７が接続されている。ＲＯＭ１１には、システムプログラム，アプリケーションプログラム，ローダおよびフォントデータが記憶されている。システムプログラムは、この装置の基本動作や周辺機器とのデータ送受を制御するプログラムである。アプリケーションプログラムは周辺機器制御プログラム，シーケンスプログラムなどである。カラオケ演奏時にはシーケンスプログラムがＣＰＵ１０によって実行され、楽曲ファイルに基づいた楽音の発生，映像の再生が行われる。ローダは、通信制御部１６を介してローカルホスト２から楽曲ファイルや曲名・曲番号対応リストなどをダウンロードするためのプログラムである。フォントデータは、歌詞や曲名などを表示するためのものであり、明朝体やゴジック体などの複数種類の文字種のフォントが記憶されている。また、ＲＡＭ１２には、カラオケ演奏を実行する楽曲ファイルを読み込むためのワークエリアが設定されるとともに、コマンダ６やパネルスイッチ１５のテンキーから入力された数値をバッファリングする置数バッファ，予約された曲番号を順番に記憶する予約曲リストなどが設定される。ＨＤＤ１７にはセンタからダウンロードした楽曲ファイルを数千〜１万曲分蓄積記憶するための楽曲ファイル記憶エリアが設けられる。
【００３３】
リモコン受信機１３はコマンダ６から送られてくる赤外線信号を受信してデータを復元する。コマンダ３はテンキーなど各種キースイッチを備えており、利用者がこれらのスイッチを操作するとその操作に応じたコードで変調された赤外線信号を送信する。
【００３４】
表示パネル１４は入力された曲番号などを表示するためのＬＥＤ表示器などを含んでいる。また、パネルスイッチ１５はテンキーのほか上記コマンダ６と同種のキースイッチを含んでおり、このパネルスイッチを操作して曲番号を入力することもできる。
【００３５】
音源装置１９は、カラオケ演奏時にＣＰＵ１０から入力されるイベントデータに基づいて楽音信号を形成する。イベントデータは楽曲ファイルの楽音トラックに記憶されている。音声データ処理部２０は、楽曲ファイルに含まれるＡＤＰＣＭデータである音声データに基づき、指定された長さ，指定された音高の音声信号を形成する。音声データは、バックコーラスなどの音源装置１９で電子的に発生しにくい信号波形をそのままディジタル化して記憶したものである。
【００３６】
歌唱用のマイク２９はプリアンプ３０に接続されている。マイク２９から入力された歌唱音声信号はプリアンプ３０で増幅されＡ／Ｄコンバータ３１でディジタル信号に変換されたのち効果用ＤＳＰ２１に入力される。効果用ＤＳＰ２１には、歌唱音声信号のほか音源装置１９が形成した楽音信号および音声データ処理部２０が形成した音声信号が入力される。効果用ＤＳＰ２１は、これら入力された音声信号や楽音信号に対して種々の効果を付与する。効果用ＤＳＰ２１がカラオケ演奏音に対して付与する効果の種類や程度は、楽曲ファイルの効果トラックのイベントデータ（ＤＳＰコントロールデータ）に基づいて制御される。ＤＳＰコントロールデータはＤＳＰコントロール用シーケンスプログラムに基づき、ＣＰＵ１０が所定のタイミングに効果用ＤＳＰ２１に入力する。効果が付与された楽音信号，音声信号はＤ／Ａコンバータ２２でアナログ信号に変換されたのちメインアンプ２３に入力される。メインアンプ２３は、この信号を増幅したのちスピーカ２４に出力する。
【００３７】
文字表示部２５は入力される文字データに基づいて、曲名や歌詞などの文字パターンを生成する。また、ＬＤチェンジャ２６は入力された映像選択データ（チャプタナンバ）に基づき、対応するＬＤの背景映像を再生する。映像選択データは当該カラオケ曲のジャンルデータなどに基づいて決定される。ジャンルデータは楽曲ファイルのヘッダに書き込まれており、カラオケ演奏スタート時にＣＰＵ１０によって読み出される。ＣＰＵ１０はジャンルデータに基づいてどの背景映像を再生するかを決定し、その背景映像を指定する映像選択データをＬＤチェンジャ２６に対して出力する。ＬＤチェンジャ２６には、５枚のレーザディスクが内蔵されており約１２０シーンの背景映像を再生することができる。映像選択データによってこのなかから１つの背景映像が選択され、映像データとして出力される。文字パターン，映像データは表示制御部２７に入力される。表示制御部２７ではこれらのデータをスーパーインポーズで合成してモニタ２８に表示する。
【００３８】
図８は同カラオケ装置の選曲動作を示すフローチャートである。カラオケ装置３が入力した曲番号によってカラオケ曲を選択し、ＨＤＤ１７からそのカラオケ曲の楽曲ファイルを読み出して自動演奏する。利用者は、コマンダ６を操作して選曲を行う。利用者がコマンダ６を操作すると、操作されたキーに対応する赤外線パルス信号がコマンダ６からリモコン受信機１３に対して送信される。
【００３９】
コマンダ６からの信号入力があった場合には（ｓ８０）、操作されたキーが数値キーであったか（ｓ８１）、確認キーであったか（ｓ８３）を判断する。数値キーが操作された場合には、その値を置数バッファに記憶して（ｓ８２）、ｓ８０にもどる。確認キーが操作された場合には、そのとき置数バッファに記憶されている内容を読み出して（ｓ８４）その内容を判断する（ｓ８５）。すなわち、図１２や図１４に示すように、通常の曲番号は「ｘｘｘｘ−ｘｘ」のようにハイフンで接続される６桁の数値であるが、オンラインでローカルホスト２に予約登録した曲リストの登録番号は「ＡＢ−ｘｘｘ」のようにＡＢおよび３桁の数字列であり、レパートリー番号は「Ａ−ｘｘｘ」のようにＡおよび３桁の数字列であり、予約登録した曲リスト中の予約登録曲番号は「Ｂ−ｘｘｘ」のようにＢおよび３桁の数字列である。したがって、どのような数字（Ａ，Ｂを含む）列が入力されたかによってなにが入力されたかを判断することができる。
【００４０】
置数バッファの内容が通常の曲番号であった場合にはｓ８５からｓ８６に進み、その曲番号を演奏予約リストに記憶する（ｓ８６）。また、置数バッファの内容が登録番号であった場合には、この登録番号をローカルホスト２に送信して対応する曲名リストのダウンロードを要求する（ｓ８７）。これに対してローカルホスト２は対応する曲名リストをダウンロードしてくるから、これをＲＡＭ１２の所定エリアに記憶する（ｓ８８）。
【００４１】
一方、セットされているレパートリーカード５やダウンロードされてきた曲名リスト中の曲が上記短縮された曲番号で指定された場合には、数値列の形式からこれを判断し、対応するリストを参照する（ｓ８９）。すなわち、「Ａ−ｘｘｘ」であれば、レパートリーカード５に記憶されている曲を指示する番号であるため、レパートリーカード５を検索してこの番号で識別される曲を割り出し（ｓ８９）、その曲の本来の曲番号を読み出してこれを演奏予約リストに記憶する（ｓ９０）。また、「Ｂ−ｘｘｘ」であれば、予約登録リストに記憶されている曲を指示する番号であるため、ローカルホスト２からダウンロードしてきた予約登録リストを検索してこの番号で識別される曲を割り出し（ｓ８９）、その曲の本来の曲番号を読み出してこれを演奏予約リストに記憶する（ｓ９０）。
【００４２】
これにより、短い番号で曲を予約することができ、また、自分の好みに合わせて選択した曲のなかから選択できるため選択が極めて容易になる。なお、図１２に示すように「Ｂ−０００」を入力すれば予約登録リスト中の曲を一括して演奏予約することができる。
【００４３】
一方、演奏中のカラオケ曲が終了して空き時間になった場合には、予約登録リストがダウンロードされていることを条件として（ｓ９２）、このリストをモニタ１０に表示する（ｓ９３）。これにより、予約登録時にプリントアウトされたリストを紛失した場合でも、画面を見ながら選曲することができる。
【００４４】
このフローチャートからも明らかなように、一般の曲番号、予約登録曲番号、レパートリー番号はそれぞれ番号の形式が異なるため、レパートリーカード５がセットされているときに、一般の曲番号を入力してレパートリー曲以外の曲を選曲することもでき、また、予約登録リストをホスト装置２からダウンロードしたのちに一般の曲番号を入力してレパートリー曲以外の曲を選曲することもできる。さらに、予約登録リストとレパートリーカード５の併用も可能である。
【００４５】
なお、この実施形態ホスト装置を店舗内に設置されているローカルホストとしたが、通信カラオケシステム全体を統括するセンタとしてもよい。また、予約登録装置１は、カラオケ店のロビー内や店舗外に設置するようにしているが、ホスト装置と回線で接続可能であればどこでもよく、たとえば、繁華街の街頭，駅のなどに設置するほか家庭で使用するようにしてもよい。
【００４６】
また、登録番号の発行はホスト側だけでなく、予約登録装置側からユーザの入力によって発行するようにしてもよい。
【００４７】
【発明の効果】
【００４８】
請求項１の発明によれば、携帯記憶媒体に自分の好きな曲のみを登録しておき、これをカラオケ装置に接続して所望の曲のなかから簡略な登録コードで選択することができるため、カラオケ曲の選択およびカラオケ装置に対する予約入力が容易になる。
【図面の簡単な説明】
【図１】この発明の実施形態であるリクエスト曲事前登録システムの概略構成を示す図
【図２】同リクエスト曲事前登録システムの事前登録装置の外観図
【図３】同事前登録装置のブロック図
【図４】前記リクエスト曲事前登録システムのＰＣカードの構成図
【図５】前記事前登録装置の動作を示すフローチャート
【図６】前記事前登録装置の動作を示すフローチャート
【図７】同リクエスト曲事前登録システムのカラオケ装置のブロック図
【図８】前記カラオケ装置の動作を示すフローチャート
【図９】前記事前登録装置のモニタの表示例を示す図
【図１０】前記事前登録装置のモニタの表示例を示す図
【図１１】前記事前登録装置のモニタの表示例を示す図
【図１２】前記事前登録装置のプリントアウトの例を示す図
【図１３】前記事前登録装置のモニタの表示例を示す図
【図１４】前記事前登録装置のプリントアウトの例を示す図
【符号の説明】
１…予約登録装置、２…ローカルホスト装置、３…カラオケ装置、
４…ＰＣカードリーダ、５…レパートリーカード（ＰＣカード）、
４０…モニタ、４２…ＰＣカードスロット、４３…プリンタ、
【図１】
0003671494.tif 000002
【図２】
0003671494.tif 000003
【図３】
0003671494.tif 000004
【図４】
0003671494.tif 000005
【図５】
0003671494.tif 000006
【図６】
0003671494.tif 000007
【図７】
0003671494.tif 000008
【図８】
0003671494.tif 000009
【図９】
0003671494.tif 000010
【図１０】
0003671494.tif 000011
【図１１】
0003671494.tif 000012
【図１２】
0003671494.tif 000013
【図１３】
0003671494.tif 000014
【図１４】
0003671494.tif 000015